(57)【要約】【課題】  どのような位置のユーザにも視認性のよい、文字を含む情報の重畳表示を行うことのできる表示装置を実現する。【解決手段】  重畳データ１２が、枠体１３における表示画面１１からの垂直方向の最大高さに応じて設定された非表示領域ら外れた位置に表示されるように、重畳データ１２を作成する。【選択図】  図２
2006201729.tif 000002
【特許請求の範囲】
【請求項１】
画素位置が固定された表示画面と、当該表示画面からの垂直方向に高さのある当該表示画面を囲む枠体とを有し、文字を含む情報である重畳データを重畳表示するための重畳データ表示領域が上記表示画面に設けられた表示装置において、
上記枠体における上記表示画面からの垂直方向の最大高さに応じて設定された非表示領域から外れた位置に表示されるように、上記重畳データを作成する重畳データ作成手段を有することを特徴とする表示装置。
【請求項２】
上記最大高さは、上記表示画面の法線に対してθ（９０度＞θ≧０度）の位置から枠体越しに表示画面を見るユーザと上記表示画面との間における最大高さであり、
当該最大高さをｈとすると、
上記非表示領域は、上記表示画面と上記枠体との境界からｈ×ｔａｎθで表される位置までであり、
上記重畳表示される１文字の表示幅をｗとすると、
上記θは、ｗ×ｃｏｓθの幅を有する文字を上記ユーザが視認できる角度であることを特徴とする請求項１に記載の表示装置。
【請求項３】
上記重畳データ作成手段は、上記重畳データの表示位置を設定するためのユーザ入力を受付け、ユーザにより設定された位置に上記重畳データが表示されるように、上記重畳データを作成することを特徴とする請求項１に記載の表示装置。
【発明の詳細な説明】
【技術分野】
【０００１】
本発明は、ＯＳＤを表示する表示装置に関するものであり、特に画素位置が固定された表示装置に関するものである。
【背景技術】
【０００２】
近年、映像を表示（再生）するための表示装置として、液晶ディスプレイやプラズマディスプレイが多く開発されている。これらの表示装置は、大画面の表示が可能であるにもかかわらず、表示装置自体を軽量かつ薄型にすることができるという大きな利点がある。
【０００３】
このような表示装置において、オン・スクリーン・ディスプレイ（On Screen display、ＯＳＤ）機能を用いると、図５に示すように、映像に文字を含んだ情報である重畳データ１２を重畳させて表示することができる。このようなＯＳＤ機能のある表示装置１０では、図５に示すように、画像調整メニューなどの文字を含んだ重畳データ１２を、映像をできるだけ隠さないようにする意図から、ＯＤＳ機能を用いた重畳表示を表示画面１１の端に接して表示する場合が多い。
【発明の開示】
【発明が解決しようとする課題】
【０００４】
しかしながら、上記従来の液晶ディスプレイやプラズマディスプレイ等の画素位置が固定された表示装置では、文字を含んだ情報を表示画面の端の領域にＯＳＤ機能を用いて表示する場合、以下ような問題が生じる。すなわち、表示画面１１を正面から見たユーザには、図７（ａ）のように、重畳表示された重畳データ１２が全て見える。しかし、図６のように表示画面１１を正面以外の斜めから見るユーザには、図７（ｂ）のように、重畳表示された文字が欠けて見えるという問題が発生する。表示装置１０の表示画面１１を斜めから見るるユーザには、図６に示すように表示画面１１の枠体（枠部品）１３における表示画面１１に対する垂直方向の高さｈによって、ＯＳＤ機能を用いて表示される文字を含んだ重畳データ１２が隠れることになり、見えなくなってしまうからである。詳しく説明すると、図８に示すように、表示画面１１の法線に対してθの位置から枠体１３越しに表示画面１１を見るユーザは、表示画面１１と枠体１３との境界からｈ×ｔａｎθの位置までに表示される情報を見ることができない。
【０００５】
この問題に対して、従来の液晶ディスプレイやプラズマディスプレイ等の表示装置は何ら対策を講じていなかった。
【０００６】
本発明は、上記の問題点に鑑みてなされたものであり、その目的は、どのような位置のユーザにも視認性のよい、文字を含む情報の重畳表示を行うことのできる表示装置を実現することにある。
【課題を解決するための手段】
【０００７】
本発明に係る表示装置は、画素位置が固定された表示画面と、当該表示画面からの垂直方向に高さのある当該表示画面を囲む枠体とを有し、文字を含む情報である重畳データを重畳表示するための重畳データ表示領域が上記表示画面に設けられた表示装置において、  上記枠体における上記表示画面からの垂直方向の最大高さに応じて設定された非表示領域から外れた位置に表示されるように、上記重畳データを作成する重畳データ作成手段を有することを特徴としている。
【０００８】
上記構成によると、重畳表示される重畳データは、非表示領域から外れた位置に表示される。そのため、表示画面端から文字等の重畳データの表示までの間を所定の間隔空けることができる。よって、ユーザが表示画面を正面以外から枠体越しに表示画面を見るとしても、枠体の高さによって、文字を含む情報が隠されることがない。よって、表示画面を正面以外に位置するユーザも、全ての文字を含む情報を確認することができる。
【０００９】
従来の表示装置では、文字を含む情報の重畳表示を表示画面の端つまり枠体付近で行う場合、正面以外のユーザが見ると、文字を含む情報の一部が枠体の高さに隠され見えなくなっていた。しかし、上記構成によると、表示画面を正面以外から枠体越しに見ているユーザも、重畳表示される文字を含む情報を視認することができる。よって、どのような位置のユーザにも視認性のよい、文字を含む情報の重畳表示を行うことができる。
【００１０】
また、非表示領域は枠体の最大高さに応じて設定されるので、表示装置毎に枠体の最大高さが異なっていても、表示画面正面以外に位置するユーザも文字を含む情報を視認できるように、対応することができる。また、例えば、同じ表示装置において、高さの異なる枠体に変更する場合でも、対応することができる。この場合、例えば、枠体の高さｈを検知するセンサが設けられており、センサにより検知された枠体の高さｈより、非表示領域を設定し、その非表示領域外に重畳データを重畳表示できるようになっていてもよい。
【００１１】
また、上記構成によると、文字を含む情報である重畳データは、表示画面を囲む枠体から離されて表示される。ここで表示画面のレイアウト的にも枠体に文字が近すぎるのは見栄えが良くない。上記構成とすることで、見栄えの改善効果もあり、購入者を拡大することが期待できる。また、表示装置正面以外のユーザも重畳データを見ることができるので、表示装置の設置場所を限定する必要がない。
【００１２】
本発明に係る表示装置では、上記構成に加え、上記最大高さは、上記表示画面の法線に対してθ（９０度＞θ≧０度）の位置から枠体越しに表示画面を見るユーザと上記表示画面との間における最大高さであり、当該最大高さをｈとすると、上記非表示領域は、上記表示画面と上記枠体との境界からｈ×ｔａｎθで表される位置までであり、上記重畳表示される１文字の表示幅をｗとすると、上記θは、ｗ×ｃｏｓθの幅を有する文字を上記ユーザが視認できる角度であるのが好ましい。
【００１３】
ここで、１文字の表示幅とは、１文字が表示に有する幅であり、その文字を左右から見ている場合には左右方向の幅を、上下から見ている場合には上下方向の幅を指すものとする。１文字の表示幅がｗである文字は、ユーザが、表示画面の法線に対してθの位置（表示画面正面からθ斜め）から枠体越しに表示画面を見た場合に、ｗ×ｃｏｓθの幅になる。上記構成によると、表示画面の法線に対してθの位置から枠体越しに表示画面を見るユーザは確実に、文字を認識することができる。そのため、重畳データの内容を理解することができる。なお、表示画面の法線に対してθの位置から枠体越しに表示画面を見るユーザには、文字の幅は、θが６０度で１／２、７０度で約１／３、７５度で約１／４として見えることになる。
【００１４】
ここで、例えば、部屋の隅に斜めに置いた表示装置であるテレビを見るケースを考えると、θは０度から６０度程度までを考慮すればよい。なお、この数値は例示であり、限定はされない。
【００１５】
また、例えば、表示装置を操作するリモコンを所持するユーザの位置を検知するセンサが設けられていてもよい。この場合、ユーザの位置から角度θを測定して、ｈ×ｔａｎθを求めることで非表示領域を設定して、その非表示領域外に重畳データを重畳表示できるようになっていてもよい。
【００１６】
本発明に係る表示装置では、上記構成に加え、上記重畳データ作成手段は、上記重畳データの表示位置を設定するためのユーザ入力を受付け、ユーザにより設定された位置に上記重畳データが表示されるように、上記重畳データを作成してもよい。
【００１７】
上記構成によると、重畳データを表示する位置をユーザが設定することができる。正面以外から表示画面を見ているユーザの表示画面の法線に対する角度θにより、視認することのできる領域が変わる。しかし、重畳データの表示位置を設定するユーザ入力を受付けることができるので、正面以外のユーザも重畳データを見ることができるように、重畳データの表示位置を設定することができる。よって、ユーザが何処に位置していても、重畳データを視認できるようにすることが可能である。
【００１８】
また、正面から表示画面を見ているユーザのみの時には、重畳表示される重畳データを表示画面の端に寄せることで、重畳データの下に表示される映像をできるだけ隠さないようにすることができる。そのため、ユーザにとって、映像が見やすいものとなる。
【００１９】
ここで、重畳データを表示する位置について、例えば、表示画面の端から表示が開始される位置までの数値（幅）を入力できるようになっていてもよいし、表示位置について予め複数の選択肢が用意されており、その中から選択できるようになっていてもよい。なお、これらは単なる例示であり、記載された以外の方法で、重畳データの表示位置を設定できるようになっていてもよい。
【発明の効果】
【００２０】
本発明に係る表示装置は、以上のように、上記重畳データ表示領域が、上記枠体における上記表示画面からの垂直方向の最大高さに応じて設定された非表示領域から外れた位置に表示されるように、上記重畳データを作成する重畳データ作成手段を有する。
【００２１】
上記構成によると、重畳表示される重畳データは、非表示領域から外れた位置に表示される。そのため、表示画面端から文字等の重畳データの表示までの間を所定の間隔空けることができる。よって、ユーザが表示画面を正面以外、表示画面の法線に対してθ（９０＞θ≧０）の位置（表示画面正面からθの角度）から枠体越しに表示画面を見るとしても、枠体の高さによって、文字を含む情報が隠されることがない。よって、表示画面を正面以外に位置するユーザも、全ての文字を含む情報を確認することができる。
【００２２】
よって、どのような位置のユーザにも視認性のよい、文字を含む情報の重畳表示を行うことができるという効果を奏する。
【００２３】
また、非表示領域は枠体の最大高さに応じて設定されるので、表示装置毎に枠体の最大高さが異なっていても、表示画面の法線に対してθの位置のユーザも文字を含む情報を視認できるように、対応することができる。また、例えば、同じ表示装置において、高さの異なる枠体に変更する場合でも、対応することができる。
【発明を実施するための最良の形態】
【００２４】
本発明の一実施形態について図１〜図８に基づいて説明すると以下の通りである。ここで、本発明に係る表示装置は、例えば液晶テレビジョン、無機ＥＬ／有機ＥＬディスプレイ、プラズマディスプレイなどの種々の画素位置が固定された表示装置を含む広い概念であり、表示機構により限定されるものではない。以下で説明する本実施の形態の表示装置は、デジタル方式の放送信号を受信するテレビとするが、本発明はこれに限定されることはない。
【００２５】
図１は、本実施の形態の表示装置１の概略構成を示すブロック図である。本実施の形態の表示装置１は、図１に示すように、アンテナ２、チューナ３、信号処理部４、映像処理部５、重畳データ作成部６、重畳部７、出力部８、外部入力端子９を有している。
【００２６】
アンテナ２は、テレビ放送信号を受信する。ここでは、デジタル方式の放送信号を受信することができるものとする。
【００２７】
また、アンテナ２は、放送信号に多重されているテレビ番組情報（ＥＰＧ，Electronic Program Guide）も受信する。ここで、テレビ番組情報は、放送されるテレビ番組の題名や番組についての内容や放送時間などの情報である。なお、テレビ番組情報は、テレビ番組の放送そのものとは別の情報であってもよく、また、通信または蓄積メディアによって与えられるようになっていてもよい。
【００２８】
チューナ３は、アンテナ２が受信し入力端子から入力された放送信号から、ユーザの希望する放送チャンネルの信号を選択し、信号処理部４に送る。
【００２９】
信号処理部４は、受信した信号を映像信号と音声信号とテレビ番組情報等の付属情報とを分離して抽出する。
【００３０】
映像処理部５は、信号処理部４にて分離されたデジタル映像信号を所定のフォーマットの映像データへ変換して、重畳部７に送る。
【００３１】
重畳データ作成部６は、信号処理部で分離されたテレビ番組情報等の付属情報から、出力部８において映像データに重畳表示させるための重畳データを作成する。なお、この重畳データは、少なくとも文字を含む情報であればよい。また、図示しない記憶部に記憶された情報から重畳データを作成するようになっていてもよい。この重畳データとしては、例えば、明度や彩度等を設定するための画像調整メニューが挙げられるが、これに限定されない。なお、重畳データ作成部６による重畳データの作成の詳細については、後段に詳細に説明する。
【００３２】
重畳部７は、映像処理部で処理された映像に重畳データ作成部６で作成した重畳データを重畳させて出力部８に出力させる。
【００３３】
出力部８は、画素位置が固定された表示画面１１を有し、映像や重畳データを表示するための表示を行う。ここでは、液晶ディスプレイパネル、プラズマディスプレイパネル、有機ＥＬディスプレイパネル、無機ＥＬディスプレイパネル等が挙げられる。また、表示画面１１の回りには、図２に示すように、表示画面からの垂直方向に高さのある当該表示画面を囲む枠体が設けられている。また、表示画面１１には、文字を含む情報である重畳データを重畳表示するための重畳データ表示領域が設けられている。
【００３４】
外部入力端子９は、デジタルＶＴＲ，ＤＶＤ（Digital Versatile Disc）プレーヤなどの機器を接続するための端子である。
【００３５】
もちろん、図示しないスピーカ等の音声出力部から音声が出力されるものとする。本表示装置１は、説明した以外にも、テレビとして基本的な機能を有するものとする。
【００３６】
次に、重畳データ作成部６による重畳データの作成の詳細を説明する。
【００３７】
重畳データ作成部６は、重畳データ１２が、枠体１３における表示画面１１からの垂直方向の最大高さｈに応じて設定された非表示領域から外れた位置に表示されるように、重畳データを作成する。
【００３８】
この枠体の最大高さｈとは、表示画面１１の法線に対してθ（９０度＞θ≧０度）の位置（表示画面１１正面からθ斜め）から枠体越しに表示画面１１を見るユーザと表示画面１１との間において計測される最大高さとする。
【００３９】
ここで、非表示領域とは、表示画面１１と枠体１３との境界からｈ×ｔａｎθで表される位置までである（図８参照）。例えば、枠体１３の最大高さｈが表示画面１１から５ｍｍある場合、表示画面１１の法線に対して６０度の位置（表示画面１１真正面から６０度の位置）のユーザからは、表示画面１１端が約８．６ｍｍ隠れることになる。そのため、重畳データ作成部６は、表示画面１１と枠体１３との境界から８．６ｍｍの範囲である非表示領域には重畳データが表示されないように、重畳データを作成する。また、８．６ｍｍを超えた範囲に重畳データが表示されるように、重畳データを作成するといってもよい。
【００４０】
この非表示領域は、例えば、予め表示装置１の設計時に決定される。この決定の際には、枠体１３の高さによって、重畳表示上どこまでを情報表示に使えるかを前もって調べる。そして、表示画面のレイアウトを決める際に、枠体１３と表示画面１１との境界から非表示領域の範囲を空けて、重畳データを表示するようにする。
【００４１】
上下方向から大きな角度で表示画面を見ることは通常ないため、表示画面の左右方向のみ非表示領域の範囲空けるようにして、上下方向は接したままでもよい。
【００４２】
また、重畳表示される文字の表示幅をｗとすると、上記θは、ｗ×ｃｏｓθの幅を有する文字を上記ユーザが視認できる角度とするのが好ましい。
【００４３】
ここで、１文字の表示幅とは、１文字が表示に有する幅であり、その文字を左右から見ている場合には左右方向の幅を、上下から見ている場合には上下方向の幅を指すものとする。本実施形態では、表示画面を左右方向から枠体１３越しに見るユーザを考慮しているので、ここでは、１文字の左右の表示幅を指すものとする。
【００４４】
重畳表示される１文字の表示幅がｗである文字は、図４に示すように、ユーザが、表示画面の法線に対してθの位置から枠体越しに表示画面を見た場合に、ｗ×ｃｏｓθの幅になる。θを、ｗ×ｃｏｓθの幅を有する文字を上記ユーザが視認できる角度とすると、表示画面の法線に対してθの位置から枠体越しに表示画面を見るユーザは確実に、文字を認識することができる。そのため、重畳データの内容を理解することができる。なお、表示画面の法線に対してθの位置から枠体越しに表示画面を見るユーザには、文字の幅は、θが６０度で１／２、７０度で約１／３、７５度で約１／４として見えることになる。
【００４５】
ここで、例えば、部屋の隅に斜めに置いた表示装置であるテレビを見るケースを考えると、θは０度から６０度程度までを考慮すればよい。なお、この数値は例示であり、限定はされない。
【００４６】
本実施の形態の表示装置１では、重畳表示される重畳データ１２は、非表示領域から外れた位置に表示される。そのため、表示画面１１端から文字等の重畳データの表示までの間を所定の間隔空けることができる。よって、ユーザが表示画面１１を正面以外、表示画面の法線に対してθ（９０度＞θ≧０度）の位置から枠体越しに表示画面を見るとしても、枠体１３の高さによって、文字を含む情報が隠されることがない。よって、表示画面１１を正面以外に位置するユーザも、全ての文字を含む情報を確認することができる。つまり、図２（ａ）に示すように、正面から表示画面１１を正面から見たユーザには、重畳データ１２が全て見える。また、表示画面１１を正面以外の斜めから枠体越しに表示画面を見るユーザにも、図２（ｂ）のように、重畳データ１２に含まれる文字が全て見ることができる。また、図３に、表示装置１の表示画面１１において、テレビ映像に裏番組表をＯＳＤ表示させたときの表示例を示す。
【００４７】
従来の表示装置では、文字を含む情報である重畳データの重畳表示を表示画面１１の端つまり枠体付近で行う場合、正面以外のユーザが見ると、文字を含む情報の一部が枠体の高さに隠され見えなくなっていた。しかし、本実施の形態の表示装置１では、表示画面１１を正面以外、表示画面１１の法線に対してθの位置から枠体越しに表示画面を見るユーザも、重畳表示される文字を含む情報を視認することができる。よって、表示装置１は、どのような位置のユーザにも視認性のよい、文字を含む情報の重畳表示を行うことができる。
【００４８】
また、非表示領域は枠体１３の最大高さに応じて設定されるので、表示装置毎に枠体の最大高さが異なっていても、表示画面１１正面以外の位置のユーザも文字を含む情報を視認できるように、対応することができる。また、例えば、同じ表示装置において、高さの異なる枠体に変更する場合でも、対応することができる。この場合、例えば、枠体の高さｈを検知するセンサが設けられており、センサにより検知された枠体の高さｈより、非表示領域を設定し、その非表示領域外に重畳データ１２を重畳表示できるようになっていてもよい。
【００４９】
また、上記構成によると、文字を含む情報である重畳データ１２は、表示画面を囲む枠体から離されて表示される。ここで表示画面のレイアウト的にも枠体に文字が近すぎるのは見栄えが良くない。上記構成とすることで、見栄えの改善効果もあり、購入者を拡大することが期待できる。また、表示装置１正面以外のユーザも重畳データ１２を見ることができるので、表示装置１の設置場所を限定する必要がない。
【００５０】
また、表示装置１に、例えば、テレビのリモコンを有するユーザの位置を検知するセンサが設けられていてもよい。この場合、ユーザの位置から角度θを測定して、ｈ×ｔａｎθを求めることで非表示領域を設定して、その非表示領域外に重畳データを重畳表示できるようになっていてもよい。
【００５１】
また、重畳データ作成部６は、重畳データ１２の表示位置を設定するためのユーザ入力を受付け、ユーザにより設定された位置に重畳データ１２が表示されるように、重畳データ１２を作成してもよい。このユーザ入力は例えばリモコン等を用いて行われてもよい。
【００５２】
このようにユーザ入力を受付けることで、重畳データ１２を表示する位置をユーザが設定することができる。正面以外から表示画面１１を見ているユーザの表示画面１１の法線に対する角度θにより、視認することのできる領域が変わる。しかし、表示装置１は、重畳データ１２の表示位置を設定するユーザ入力を受付けることができるので、正面以外のユーザも重畳データを見ることができるように、重畳データ１２の表示位置を設定することができる。よって、ユーザが何処に位置していても、重畳データ１２を視認できるようにすることが可能である。
【００５３】
また、正面から表示画面１１を見ているユーザのみの時には、重畳表示される重畳データ１２を表示画面１１の端に寄せることで、重畳データの下に表示される映像をできるだけ隠さないようにすることができる。そのため、ユーザにとって、映像が見やすいものとなる。
【００５４】
ここで、重畳データ１２を表示する位置について、例えば、表示画面１１の端から表示が開始される位置までの数値（幅）を入力できるようになっていてもよいし、表示位置について予め複数の選択肢が用意されており、その中から選択できるようになっていてもよい。例えば、リモコン等を用いたメニュー設定により、設定できるようになっていてもよい。なお、これらは単なる例示であり、記載された以外の方法で、重畳データ１２の表示位置を設定できるようになっていてもよい
なお、表示装置１の各ブロックは、ハードウェアロジックによって構成してもよいし、次のようにＣＰＵを用いてソフトウェアによって実現してもよい。
【００５５】
すなわち、表示装置１は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体、図示せず）などを備えている。そして、本発明の目的は、上述した機能を実現するソフトウェアである表示装置の制御プログラムのプログラムコード（実行形式プログラム、中間コードプログラム、ソースプログラム）をコンピュータで読み取り可能に記録した記録媒体を、上記表示装置１に供給し、そのコンピュータ（またはＣＰＵやＭＰＵ）が記録媒体に記録されているプログラムコードを読み出し実行することによっても、達成可能である。
【００５６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５７】
また、表示装置１を通信ネットワークと接続可能に構成し、上記プログラムコードを通信ネットワークを介して供給してもよい。この通信ネットワークとしては、特に限定されず、例えば、インターネット、イントラネット、エクストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００５８】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００５９】
液晶ディスプレイやプラズマディスプレイ、有機／無機ＥＬディスプレイ等、画素位置が固定された表示装置に適用することができる。
【図面の簡単な説明】
【００６０】
【図１】本発明の実施形態を示すものであり、表示装置の要部構成を示すブロック図である。
【図２】（ａ）は上記表示装置の表示画面を正面から見た図であり、（ｂ）は、上記表示装置の表示画面を斜めから見た図である。
【図３】上記表示装置に裏番組表をＯＳＤ表示させた図である。
【図４】θの角度から文字を見るユーザが認識する１文字の幅を説明する図である。
【図５】ＯＳＤ表示させた表示装置を表す図である。
【図６】表示装置と表示装置の表示画面を斜めから見るユーザを表す図である。
【図７】（ａ）は従来の表示装置の表示画面を正面から見た図であり、（ｂ）は、従来の表示装置の表示画面を斜めから見た図である。
【図８】表示画面を斜めから見るユーザが見えない部分を示す説明図である。
【符号の説明】
【００６１】
１    表示装置
６    重畳データ作成部（重畳データ作成手段）
８    出力部
１１    表示画面
１２    重畳データ
１３    枠体
【図１】
2006201729.tif 000003
【図２】
2006201729.tif 000004
【図３】
2006201729.tif 000005
【図４】
2006201729.tif 000006
【図５】
2006201729.tif 000007
【図６】
2006201729.tif 000008
【図７】
2006201729.tif 000009
【図８】
2006201729.tif 000010